【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
コーディングされたビデオ・ピクチャの複数のシーケンスを備える、コーディングされたビデオ・データを、電子ファイルに格納する方法であって、
少なくとも１つのサンプルに関連付けられ、ビデオ・データ・トラック内にあるサンプル・ディスクリプションについて、前記ビデオ・データ・トラック内の前記サンプル・ディスクリプションが、前記少なくとも１つのサンプルに関連付けられた特定のタイプのすべてのパラメータ・セットを含んでいるか否か、または、前記特定のタイプの少なくとも１つのパラメータ・セットが前記ビデオ・データ・トラック内の前記サンプル・ディスクリプション以外に含まれるか否かを判定することと、ここで、前記少なくとも１つのサンプルは、コーディングされたビデオ・ピクチャの前記複数のシーケンスのうちの少なくとも一部を備え、前記特定のタイプは、パラメータ・セットの複数の異なる特定のタイプのうちの１つであり、パラメータ・セットの前記異なる特定のタイプの各々は、ビデオ・データのそれぞれの階層レイヤに対応する、
前記判定に基づいて、前記サンプル・ディスクリプションが、前記特定のタイプのすべてのパラメータ・セットを含んでいるか否かを示すインジケーションを、前記電子ファイルにおいて、提供することと、
を備える方法。
【請求項２】
前記複数の異なる特定のタイプのパラメータ・セットは、前記それぞれの階層レイヤとしてピクチャのそれぞれのシーケンスに対応するシーケンス・パラメータ・セット（ＳＰＳ）、前記それぞれの階層レイヤとしてそれぞれのピクチャに対応するピクチャ・パラメータ・セット（ＰＰＳ）、および、前記階層レイヤとしてそれぞれの全体にコーディングされたビデオ・シーケンスに対応するビデオ・パラメータ・セット（ＶＰＳ）のうちの１または複数を備える、請求項１に記載の方法。
【請求項３】
前記サンプル・ディスクリプションが、前記特定のタイプのすべてのパラメータ・セットを含んでいるか否かを判定することは、
前記サンプル・ディスクリプションに関連付けられた名前を判定することと、
前記サンプル・ディスクリプションが、前記特定のタイプのすべてのパラメータ・セットを含んでいるか否かを、前記サンプル・ディスクリプションに関連付けられた名前に基づいて判定することと、
を備える、請求項１に記載の方法。
【請求項４】
前記判定された、前記サンプル・ディスクリプションに関連付けられた名前は、“ｈｖｃ１”であり、
前記サンプル・ディスクリプションが、前記特定のタイプのすべてのパラメータ・セットを含んでいるか否かを判定することは、前記サンプルの名前が“ｈｖｃ１”である場合、前記サンプル・ディスクリプションが、前記特定のタイプのすべてのパラメータ・セットを含んでいると判定することを備える、請求項３に記載の方法。
【請求項５】
前記判定された、前記サンプル・ディスクリプションに関連付けられた名前は、“ｈｅｖ１”であり、
前記サンプル・ディスクリプションが、前記特定のタイプのすべてのパラメータ・セットを含んでいるか否かを判定することは、前記サンプルの名前が“ｈｅｖ１”である場合、前記サンプル・ディスクリプションが、前記特定のタイプのすべてのパラメータ・セットを含んでいる訳ではないと判定することを備える、請求項３に記載の方法。
【請求項６】
前記電子ファイルにおいて、前記サンプル・ディスクリプションに名前を関連付けることをさらに備え、
前記名前は、前記サンプル・ディスクリプションが、前記特定のタイプのすべてのパラメータ・セットを含んでいるか否かを示さない、請求項１に記載の方法。
【請求項７】
前記サンプル・ディスクリプションが、前記特定のタイプのすべてのパラメータ・セットを含んでいるか否かを示すインジケーションを、前記電子ファイルにおいて、提供することは、前記判定に基づいて、前記サンプル・ディスクリプションが、前記特定のタイプのすべてのパラメータ・セットを含んでいる訳ではないことを示すインジケーションを、前記電子ファイルにおいて、提供することを備える、請求項１に記載の方法。
【請求項８】
前記サンプル・ディスクリプションが、前記特定のタイプのすべてのパラメータ・セットを含んでいるか否かを示すインジケーションを、前記電子ファイルにおいて、提供することは、前記判定に基づいて、前記サンプル・ディスクリプションが、前記特定のタイプのすべてのパラメータ・セットを含んでいることを示すインジケーションを、前記電子ファイルにおいて、提供することを備える、請求項１に記載の方法。
【請求項９】
前記サンプル・ディスクリプションが、前記特定のタイプのすべてのパラメータ・セットを含んでいるか否かを示すインジケーションを、前記電子ファイルにおいて、提供することは、前記判定に基づいて、前記サンプル・ディスクリプションのデコーダ・コンフィギュレーション・レコードが、前記特定のタイプのすべてのパラメータ・セットを含んでいるか否かを示すインジケーションを、前記電子ファイルにおいて、提供することを備える、請求項１に記載の方法。
【請求項１０】
前記特定のタイプのすべてのパラメータ・セットは、前記複数の異なる特定のタイプのパラメータ・セットのうちの、第１のタイプのすべてのパラメータ・セットを備え、
前記電子ファイルにおけるインジケーションは、前記電子ファイルにおいて、第１のインジケーションを備え、
前記方法はさらに、
前記サンプル・ディスクリプションが、前記少なくとも１つのサンプルに関連付けられた前記複数の異なる特定のタイプのパラメータ・セットのうちの、第２の特定のタイプのすべてのパラメータ・セットを含んでいるか否かを判定することと、
前記判定に基づいて、前記サンプル・ディスクリプションが、前記第２のタイプのすべてのパラメータ・セットを含んでいるか否かを示す第２のインジケーションを、前記電子ファイルにおいて、提供することと、
を備える請求項１に記載の方法。
【請求項１１】
前記電子ファイルにおける前記第１のインジケーションは、前記サンプル・ディスクリプションが、前記第１のタイプのすべてのパラメータ・セットを含んでいるか否かを示し、
前記サンプル・ディスクリプションが、前記第１のタイプのすべてのパラメータ・セットを含んでいるか否かを示す前記第１のインジケーションを、前記電子ファイルにおいて、提供することは、前記判定に基づいて、前記サンプル・ディスクリプションが、前記第１のタイプのすべてのパラメータ・セットを含んでいないことを示すインジケーションを、前記電子ファイルにおいて、提供することを備え、
前記サンプル・ディスクリプションが、前記第２の特定のタイプのすべてのパラメータ・セットを含んでいるか否かを示す前記第２のインジケーションを、前記電子ファイルにおいて、提供することは、前記判定に基づいて、前記サンプル・ディスクリプションが、前記第２のタイプのすべてのパラメータ・セットを含んでいることを示すインジケーションを、前記電子ファイルにおいて、提供することを備える、請求項１０に記載の方法。
【請求項１２】
コーディングされたビデオ・ピクチャの複数のシーケンスを備える、コーディングされたビデオ・データを、電子ファイルに格納する装置であって、
前記電子ファイルを格納するように構成されたメモリと、
少なくとも１つのプロセッサと、前記少なくとも１つのプロセッサは、
少なくとも１つのサンプルに関連付けられ、ビデオ・データ・トラック内にあるサンプル・ディスクリプションについて、前記ビデオ・データ・トラック内のサンプル・ディスクリプションが、前記少なくとも１つのサンプルに関連付けられた特定のタイプのすべてのパラメータ・セットを含んでいるか否か、または、前記特定のタイプの少なくとも１つのパラメータ・セットが前記ビデオ・データ・トラック内の前記サンプル・ディスクリプション以外に含まれるか否かを判定し、ここで、前記少なくとも１つのサンプルは、コーディングされたビデオ・ピクチャの前記複数のシーケンスのうちの少なくとも一部を備え、前記特定のタイプは、パラメータ・セットの複数の異なる特定のタイプのうちの１つであり、パラメータ・セットの前記異なる特定のタイプの各々は、ビデオ・データのそれぞれの階層レイヤに対応し、
前記判定に基づいて、前記サンプル・ディスクリプションが、前記特定のタイプのすべてのパラメータ・セットを含んでいるか否かを示すインジケーションを、前記電子ファイルにおいて、提供するように構成される、
を備える装置。
【請求項１３】
前記複数の異なる特定のタイプのパラメータ・セットは、前記それぞれの階層レイヤとしてピクチャのそれぞれのシーケンスに対応するシーケンス・パラメータ・セット（ＳＰＳ）、前記それぞれの階層レイヤとしてそれぞれのピクチャに対応するピクチャ・パラメータ・セット（ＰＰＳ）、および、前記階層レイヤとしてそれぞれの全体がコーディングされたビデオ・シーケンスに対応するビデオ・パラメータ・セット（ＶＰＳ）のうちの１または複数を備える、請求項１２に記載の装置。
【請求項１４】
前記少なくとも１つのプロセッサは、少なくとも、
前記サンプル・ディスクリプションに関連付けられた名前を判定することと、
前記サンプル・ディスクリプションが、前記特定のタイプのすべてのパラメータ・セットを含んでいるか否かを、前記サンプル・ディスクリプションに関連付けられた名前に基づいて判定することと
によって、
前記サンプル・ディスクリプションが、前記特定のタイプのすべてのパラメータ・セットを含んでいるか否かを判定するように構成された、
請求項１２に記載の装置。
【請求項１５】
前記判定された、前記サンプル・ディスクリプションに関連付けられた名前は、“ｈｖｃ１”であり、
前記少なくとも１つのプロセッサは、前記サンプルの名前が“ｈｖｃ１”である場合、前記サンプル・ディスクリプションが、前記特定のタイプのすべてのパラメータ・セットを含んでいると判定するように構成された、請求項１４に記載の装置。
【請求項１６】
前記判定された、前記サンプル・ディスクリプションに関連付けられた名前は、“ｈｅｖ１”であり、
前記少なくとも１つのプロセッサは、前記サンプルの名前が“ｈｅｖ１”である場合、前記サンプル・ディスクリプションが、前記特定のタイプのすべてのパラメータ・セットを含んでいる訳ではないと判定するように構成された、請求項１４に記載の装置。
【請求項１７】
前記少なくとも１つのプロセッサは、前記電子ファイルにおいて、前記サンプル・ディスクリプションに名前を関連付けるように構成され、
前記名前は、前記サンプル・ディスクリプションが、前記特定のタイプのすべてのパラメータ・セットを含んでいるか否かを示さない、請求項１２に記載の装置。
【請求項１８】
前記少なくとも１つのプロセッサは、前記判定に基づいて、前記サンプル・ディスクリプションが、前記特定のタイプのすべてのパラメータ・セットを含んでいる訳ではないことを示すインジケーションを、前記電子ファイルにおいて、提供するように構成された、請求項１２に記載の装置。
【請求項１９】
前記少なくとも１つのプロセッサは、前記判定に基づいて、前記サンプル・ディスクリプションが、前記特定のタイプのすべてのパラメータ・セットを含んでいることを示すインジケーションを、前記電子ファイルにおいて、提供するように構成された、請求項１２に記載の装置。
【請求項２０】
前記少なくとも１つのプロセッサは、前記判定に基づいて、前記サンプル・ディスクリプションのデコーダ・コンフィギュレーション・レコードが、前記特定のタイプのすべてのパラメータ・セットを含んでいるか否かを示すインジケーションを、前記電子ファイルにおいて、提供するように構成された、請求項１２に記載の装置。
【請求項２１】
前記特定のタイプのすべてのパラメータ・セットは、前記複数の異なる特定のタイプのパラメータ・セットのうちの、第１のタイプのすべてのパラメータ・セットを備え、
前記電子ファイルにおけるインジケーションは、前記電子ファイルにおける第１のインジケーションを備え、
前記少なくとも１つのプロセッサは、
前記サンプル・ディスクリプションが、前記少なくとも１つのサンプルに関連付けられた複数の異なる特定のタイプのパラメータ・セットのうちの、第２のタイプのすべてのパラメータ・セットを含んでいるか否かを判定し、
前記判定に基づいて、前記サンプル・ディスクリプションが、前記第２のタイプのすべてのパラメータ・セットを含んでいるか否かを示す第２のインジケーションを、前記電子ファイルにおいて、提供するように構成された、請求項１２に記載の装置。
【請求項２２】
コーディングされたビデオ・ピクチャの複数のシーケンスを備える、コーディングされたビデオ・データを、電子ファイルに格納する装置であって、
少なくとも１つのサンプルに関連付けられ、ビデオ・データ・トラック内にあるサンプル・ディスクリプションについて、前記ビデオ・データ・トラック内のサンプル・ディスクリプションが、前記少なくとも１つのサンプルに関連付けられた特定のタイプのすべてのパラメータ・セットを含んでいるか否か、または、前記特定のタイプの少なくとも１つのパラメータ・セットが前記ビデオ・データ・トラック内の前記サンプル・ディスクリプション以外に含まれるか否かを判定する手段と、ここで、前記少なくとも１つのサンプルは、前記コーディングされたビデオ・ピクチャの前記複数のシーケンスのうちの少なくとも一部を備え、前記特定のタイプは、パラメータ・セットの複数の異なる特定のタイプのうちの１つであり、パラメータ・セットの前記異なる特定のタイプの各々は、ビデオ・データの階層レイヤに対応する、
前記判定に基づいて、前記サンプル・ディスクリプションが、前記特定のタイプのすべてのパラメータ・セットを含んでいるか否かを示すインジケーションを、前記電子ファイルにおいて、提供する手段と、
を備える装置。
【請求項２３】
前記複数の異なる特定のタイプのパラメータ・セットは、前記それぞれの階層レイヤとしてピクチャのそれぞれのシーケンスに対応するシーケンス・パラメータ・セット（ＳＰＳ）、前記それぞれの階層レイヤとしてそれぞれのピクチャに対応するピクチャ・パラメータ・セット（ＰＰＳ）、および、前記それぞれの階層レイヤとしてそれぞれの全体がコーディングされたビデオ・シーケンスに対応するビデオ・パラメータ・セット（ＶＰＳ）のうちの１または複数を備える、請求項２２に記載の装置。
【請求項２４】
少なくとも、
前記サンプル・ディスクリプションに関連付けられた名前を判定することと、
前記サンプル・ディスクリプションが、前記特定のタイプのすべてのパラメータ・セットを含んでいるか否かを、前記サンプル・ディスクリプションに関連付けられた名前に基づいて判定することと
によって、前記サンプル・ディスクリプションが、前記特定のタイプのすべてのパラメータ・セットを含んでいるか否かを判定する手段、
をさらに備える請求項２２に記載の装置。
【請求項２５】
実行された場合、
少なくとも１つのサンプルに関連付けられ、ビデオ・データ・トラック内にあるサンプル・ディスクリプションについて、前記ビデオ・データ・トラック内の前記サンプル・ディスクリプションが、前記少なくとも１つのサンプルに関連付けられた特定のタイプのすべてのパラメータ・セットを含んでいるか否か、または、前記特定のタイプの少なくとも１つのパラメータ・セットが前記ビデオ・データ・トラック内の前記サンプル・ディスクリプション以外に含まれるか否かを判定することと、ここで、前記少なくとも１つのサンプルは、コーディングされたビデオ・ピクチャの複数のシーケンスのうちの少なくとも一部を備え、前記特定のタイプは、パラメータ・セットの複数の異なる特定のタイプのうちの１つであり、パラメータ・セットの前記異なる特定のタイプの各々は、ビデオ・データのそれぞれの階層レイヤに対応する、
前記判定に基づいて、前記サンプル・ディスクリプションが、前記特定のタイプのすべてのパラメータ・セットを含んでいるか否かを示すインジケーションを、前記電子ファイルにおいて、提供することと
を備える動作を、１または複数のプロセッサに対して実行させる、格納された命令群を有するコンピュータ読取可能な記憶媒体。
【請求項２６】
電子ファイルに格納された、コーディングされたビデオ・ピクチャの複数のシーケンスを備える、コーディングされたビデオ・データを処理する方法であって、
少なくとも１つのサンプルに関連付けられ、ビデオ・データ・トラック内にあるサンプル・ディスクリプションについて、前記ビデオ・データ・トラック内のサンプル・ディスクリプションが、前記少なくとも１つのサンプルに関連付けられた特定のタイプのすべてのパラメータ・セットを含んでいるか否か、または、前記特定のタイプの少なくとも１つのパラメータ・セットが前記ビデオ・データ・トラック内の前記サンプル・ディスクリプション以外に含まれるか否かを示すインジケーションを、前記電子ファイルにおいて受け取ることと、ここで、前記少なくとも１つのサンプルは、前記コーディングされたビデオ・ピクチャの複数のシーケンスのうちの少なくとも一部を備え、前記特定のタイプは、パラメータ・セットの複数の異なる特定のタイプのうちの１つであり、パラメータ・セットの前記異なる特定のタイプの各々は、ビデオ・データのそれぞれの階層レイヤに対応する、
前記特定のタイプのすべてのパラメータ・セットが前記サンプル・ディスクリプションに格納されているか否かを、前記インジケーションに基づいて判定することと、
前記特定のタイプのすべてのパラメータ・セットが、前記サンプル・ディスクリプションに格納されているか否かの判定に基づいて、前記特定のタイプのパラメータ・セットのうちの１または複数に少なくとも部分的に基づいて、前記コーディングされたビデオ・データを処理することと、
を備える方法。
【請求項２７】
電子ファイルに格納された、コーディングされたビデオ・ピクチャの複数のシーケンスを備える、コーディングされたビデオ・データを処理する装置であって、
前記電子ファイルを格納するように構成されたメモリと、
少なくとも１つのプロセッサであって、
少なくとも１つのサンプルに関連付けられ、ビデオ・データ・トラック内にあるサンプル・ディスクリプションについて、前記ビデオ・データ・トラック内のサンプル・ディスクリプションが、前記少なくとも１つのサンプルに関連付けられた特定のタイプのすべてのパラメータ・セットを含んでいるか否か、または、前記特定のタイプの少なくとも１つのパラメータ・セットが前記ビデオ・データ・トラック内の前記サンプル・ディスクリプション以外に含まれるか否かを示すインジケーションを、前記電子ファイルにおいて、受け取ることと、ここで、前記少なくとも１つのサンプルは、コーディングされたビデオ・ピクチャの前記複数のシーケンスのうちの少なくとも一部を備え、前記特定のタイプは、パラメータ・セットの複数の異なる特定のタイプのうちの１つであり、パラメータ・セットの前記異なる特定のタイプの各々は、ビデオ・データのそれぞれの階層レイヤに対応する、
前記特定のタイプのすべてのパラメータ・セットが前記サンプル・ディスクリプションに格納されているか否かを、前記インジケーションに基づいて判定することと、
前記特定のタイプのすべてのパラメータが、前記サンプル・ディスクリプションに格納されているか否かの判定に基づいて、前記特定のタイプのパラメータ・セットのうちの１または複数に少なくとも部分的に基づいて、前記コーディングされたビデオ・データを処理することと、
を実行するように構成された少なくとも１つのプロセッサと、
を備える装置。
【請求項２８】
デコーダ・デバイスをさらに備え、
前記デコーダ・デバイスは、少なくとも、前記コーディングされたビデオ・データを、前記特定のタイプの前記パラメータ・セットのうちの１または複数に少なくとも部分的に基づいてデコードすることによって、前記特定のタイプの前記パラメータ・セットのうちの１または複数に少なくとも部分的に基づいて、前記コーディングされたビデオ・データを処理するように構成された、請求項２７に記載の装置。
【請求項２９】
ビデオ・データの前記それぞれの階層レイヤは、全体がコーディングされたビデオ・シーケンスと、ピクチャのシーケンスと、ピクチャとを含む、請求項１に記載の方法。